(57)【要約】【課題】面白く興味ある動きをする可動演出装置を提供し、遊技機の興趣を増大させる。【解決手段】遊技状態を表示する変動表示装置１の近傍両側に一対のアーム３０，３１を第１電気駆動源１５によって旋回動するように設け、該各アームの先端部に第２電気駆動源３５および該第２電気駆動源により回転動する演出部材３６を設け、該各アームを変動表示装置の表示と連動して旋回動させ演出部材３６を該変動表示装置１の前面に進退動させる。演出部材３６は、中空の球殻体５０内に光源５１を内蔵してなり、該球殻体には適宜間隔で複数の透光部５８が形成され、該球殻体が第２電気駆動源の駆動により自転することで、該透光部を通して放出される光源の光がサーチライトのように旋回する。【選択図】図２
2007275235.tif 000002
【特許請求の範囲】
【請求項１】
遊技状態を表示する変動表示装置を備えた遊技機において、該遊技機にアームと該アームを可動させる第１電気駆動源を設け、該アームの先端部に第２電気駆動源および該第２電気駆動源によって可動する演出部材を設け、該アーム及び演出部材を変動表示装置の表示と連動させることを特徴とした遊技機の可動演出装置。
【請求項２】
遊技状態を表示する変動表示装置の近傍両側に一対のアームを第１電気駆動源によって旋回動するように設け、該各アームの先端部に第２電気駆動源および該第２電気駆動源により回転動する演出部材を設け、該各アームを変動表示装置の表示と連動して旋回動させ演出部材を該変動表示装置の前面に進退動させるようにしたことを特徴とする遊技機の可動演出装置。
【請求項３】
演出部材は、中空の球殻体内に光源を内蔵してなり、該球殻体には適宜間隔で複数の透光部が形成され、該球殻体が第２電気駆動源の駆動により自転することで、該透光部を通して放出される光源の光がサーチライトのように旋回するようにしたことを特徴とする請求項１または２に記載した遊技機の可動演出装置。
【請求項４】
透光部に凸レンズを形成したことを特徴とする請求項３に記載した遊技機の可動演出装置。
【発明の詳細な説明】
【技術分野】
【０００１】
本発明は、パチンコ遊技機、アレンジボール機、雀球遊技機、スロットマシン等の遊技機に設けられ、興趣を増大させる可動演出装置に関するものである。
【背景技術】
【０００２】
下記特許文献１および特許文献２に示された遊技機は、パチンコ遊技機における液晶等の変動表示装置を囲うように遊技盤上に設けられた枠状のフレームに可動演出部材を設け、変動表示装置の表示と連動して該演出部材をモータ或いはソレノイド等の電気駆動源によって可動させることにより、興趣を得ようとするものである。
【特許文献１】特開２００２−２８２４３８号公報
【特許文献２】特開２００５−２７９２０号公報
【発明の開示】
【発明が解決しようとする課題】
【０００３】
ところが従来の上記遊技機は、ライオンの牙、或いは、人形の腕に見立てた可動演出部材を単に上下動させるだけのものであったので、面白味が少ないものであった。
そこで本発明は、一層面白く興味ある動きをさせられる可動演出装置を提供し、遊技機の興趣を増大させようとするものである。
【課題を解決するための手段】
【０００４】
そのために請求項１に記載した遊技機の可動演出装置は、遊技状態を表示する変動表示装置を備えた遊技機において、該遊技機にアームと該アームを可動させる第１電気駆動源を設け、該アームの先端部に第２電気駆動源および該第２電気駆動源によって可動する演出部材を設け、該アーム及び演出部材を変動表示装置の表示と連動させることを特徴とする。
また、請求項２に記載した発明は遊技機の可動演出装置は、遊技状態を表示する変動表示装置の近傍両側に一対のアームを第１電気駆動源によって旋回動するように設け、該各アームの先端部に第２電気駆動源および該第２電気駆動源により回転動する演出部材を設け、該各アームを変動表示装置の表示と連動して旋回動させ演出部材を該変動表示装置の前面に進退動させるようにしたことを特徴とする。
このため、演出部材を複雑な面白い動きをさせることができ、遊技者を惹き付け、遊技の興趣を増大させることができる。
【０００５】
また、請求項３に記載した発明は上記遊技機の可動演出装置において、演出部材は、中空の球殻体内に光源を内蔵してなり、該球殻体には適宜間隔で複数の透光部が形成され、該球殻体が第２電気駆動源の駆動により自転することで、該透光部を通して放出される光源の光がサーチライトのように旋回するようにしたことを特徴とする。
また、請求項３に記載した発明は上記遊技機の可動演出装置において、透光部に凸レンズを形成したことを特徴とする。
このため、光による華やかな演出をすることができ、遊技の興趣を増大させることができる。
【発明の効果】
【０００６】
演出部材が斬新な面白い動きをすることから、演出が多様化し、遊技者を惹き付けられると共に、遊技機の遊技性、興趣を増大させることができる。
【発明を実施するための最良の形態】
【０００７】
図１は本発明に係るパチンコ遊技機の遊技盤の正面図で、１は該遊技盤の中央に設けられたカラー液晶表示装置等からなる変動表示装置、２は該変動表示装置の下部領域に設けられ一対の羽根がソレノイドにより開閉動し得るように設けられたチューリップ型の始動入賞口、３は該始動入賞口の下方に設けられた大きな長方形状の大入賞口からなる可変入賞装置で、該可変入賞装置にはソレノイドの作動により開閉する開閉扉が設けられている。５ａ，５ｂは遊技球が通過することにより始動入賞口２を短時間だけ開閉させる通過チャッカー、６ａ，６ｂは普通入賞口である。
【０００８】
７は変動表示装置１を囲うように設けられた装飾枠体で、該装飾枠体の左右両肩部に球入口８ａ，８ｂが形成され、該球入口から下方にワープ通路９ａ，９ｂが形成され、該ワープ通路の下端は該装飾枠体の下辺部に形成されたステージ１０の両側縁に開口する。なお、１１はこのパチンコ遊技機がテーマとするアーティスト名やテレビドラマ，映画等の題名を表示すため装飾枠体７の上辺部中央にエンブレム１２を掲げた幕板である。ステージ１０は、図２に拡大して示したように、前縁が正面から見て緩やかな波を描くような湾曲形状に形成された上段ステージ１０ａと中段ステージ１０ｂが形成され、該中段ステージの下にピアノ鍵盤のようにそれぞれ独立して上下動可能なるように枢支した複数の変動部材１３が横方向に隣接状に連なるように配設されている。なお、該各変動部材１３は中央部付近に位置するものの方が両側縁寄りに位置するものよりも高さが少し低くなるように隣接する該各変動部材の上面の高さに段差が設けられている。また、該各変動部材１３の前方に中央に集束する球誘導斜面１４を形成し、該球誘導斜面の中央直下に前記始動入賞口２が位置するようにしている。
【０００９】
また、装飾枠体７の上辺部で上記幕板１１の内側には図２に示したように第１電気駆動源１５を設けている。該第１電気駆動源は、図３，図４にも示したように減速機内蔵モータ１６と、該モータの回転軸に設けられた小歯車１７と、該小歯車に噛合する大歯車１８と、該大歯車と一体に形成されたカム体１９とからなり、該モータを回転させることによりカム体１９が矢印の方向に回転動する。なお、２０はプリント基板２１に設けられた光学的センサで、該センサは大歯車１８の外周に形成された突片２２を検出することにより該大歯車１８の回転を検出する。
【００１０】
また、３０，３１は幕板１１の内側に支軸３２，３３によって夫々傾動自在に支持された一対のアームで、その一方のアーム３０にレバー部３０ａが一体に形成され、該レバー部の先端に回転自在に設けられたローラ３０ｂを前記カム体１９の外周に摺接させている。そしてアーム３０とアーム３１とはアーム３１の端部に形成された長孔３４ａにピン３４を遊嵌することにより連結される。このため、モータ１６を作動させ大歯車１８およびカム体１９を矢印の方向に回転動させると、ローラ３０ｂが押圧され、図５に矢印で示したように、アーム３０が傾動し、該アーム３０にピン３４を介して連結されたアーム３１も同様に傾動する。なお、アーム３０，３１は横断面が略コ字形に形成され、その内側に電線（図示せず）を配設し得るようにしている。また、３０ｃはアーム３０の一部に大歯車１８との衝突を避けるために形成された円弧状の切込である。
【００１１】
アーム３０，３１の先端部には第２電気駆動源３５および該第２電気駆動源によって可動する演出部材３６が設けられる。なお、第２電気駆動源３５および演出部材３６は両アーム３０，３１について同じ構成であるので、その一方のアーム３０に設けられた第２電気駆動源３５および演出部材３６の構成を図６〜図１０に従い説明する。アーム３０の先端部は取付部３７が一体に形成され、該取付部に該第２電気駆動源３５および演出部材３６を設定し、取付蓋３８をビス３９により該取付部３７に固着することで、該第２電気駆動源３５および演出部材３６がアーム３０の先端部に取り付けられるものである。第２電気駆動源３５は、取付部３７に減速機内蔵モータ４０を固着し、該減速機内蔵モータ４０の回転軸に小歯車４１を設け、該小歯車を後述する環状歯車４２に噛合させるものである。
【００１２】
一方、演出部材３６は、中空の球殻体５０とその内部の光源５１とからなり、光源５１は、基軸部５２の先端に円形板５３を形成し、該円形板の片面にＬＥＤからなる複数の発光体５４を固着し、該発光体の電線５４ａを該基軸部５２中に配線してなる。なお、該球殻体５０は、図１０の分解斜視図に示したように、プラスチックにより成形された一対の半割部材５０ａ，５０ｂを合着することにより略球形に形成されるもので、該半割部材５０ａ，５０ｂには夫々球状部５５、大径筒状部５６および小径筒状部５７が形成され、該球状部５５および大径筒状部５６には適宜間隔で凸レンズ状に形成された複数の透光部５８を形成し、該各透光部を赤、青、黄、緑等に着色し、該各透光部以外の部分は非透光なるように黒色に着色している。５９ａ，５９ｂは該半割部材５０ａ，５０ｂの割縁に夫々形成された係合爪および係合溝で、該係合爪および係合溝を係合して該半割部材５０ａ，５０ｂを合着することで該半割部材５０ａ，５０ｂ内に光源５１を内蔵させると共に、小径筒状部５７の外周に前記環状歯車４２を嵌着する。そして、環状歯車４２を嵌着した状態で小径筒状部５７を取付部３７に回転自在なるように設定すると共に、光源５１の基軸部５２を取付部３７内に回転不能に固定する。なお、５２ａは基軸部５２の外周に形成された回転止用のキーである。そして、取付蓋３８をビス３９により固着することにより、球殻体５０の球状部５５および大径筒状部５６を該取付部３７から外方に突出させ、その状態で小径筒状部５７に外嵌された環状歯車４２が小歯車４１に噛合するようにする。
【００１３】
このため、発光体５４を発光させるとその光が複数の透光部５８を通して外部に放出されると共に、モータ４０を駆動し環状歯車４１を回転させると球殻体５０が該環状歯車４１と一体的に回転（自転）するので、透光部５８を通して放出された光がサーチライトのように旋回する。また、各透光部５８は着色された凸レンズ状に形成したことにより、該各透光部を通過した光は夫々着色された平行光線となり得る。
【００１４】
図１１はＣＰＵ，ＲＯＭ，ＲＡＭ，Ｉ／Ｏからなる遊技制御基板７０に接続される本発明に関連する入出力機器を示したブロック図で、７１は始動入賞口２に入賞した遊技球を検出する始動スイッチ、７２，７３は可変入賞装置３への入賞球を計数する大入賞口スイッチと継続スイッチ、７４ａ，７４ｂは通過チャッカー５ａ，５ｂを通過する遊技球を検知するセンサ、７５は始動入賞口２の羽根を開閉動させるソレノイド、７６は可変入賞装置３の開閉扉を開閉動させるソレノイドである。そして、上記モータ１６およびモータ４０についてもこの遊技制御基板７０からの指令により作動するように接続されている。また、７７は遊技制御基板７０に接続されたＣＰＵ，ＲＯＭ，ＲＡＭ，Ｉ／Ｏによって構成された音声画像制御基板で、該音声画像制御基板に前記変動表示装置１が接続される。そして、該音声画像制御基板のＲＯＭに有名なヒット曲のライブ映像やテレビドラマ、或いは映画等のコンテンツが収録され、音声画像制御基板７７からの指令によりこれらのコンテンツが変動表示装置１に表示されるようにしている。また、７８は遊技制御基板７０に接続され上記コンテンツの音声，音響をスピーカに再生する音声出力装置である。
【００１５】
このパチンコ遊技機では、遊技盤上に発射された遊技球が球入口８ａまたは８ｂに入り、ワープ通路９ａ，９ｂを通って上段ステージ１０ａ上に放出され該上段ステージから中段ステージ１０ｂに落下し、さらに中段ステージ１０ｂの前縁から落下した遊技球は変動部材１３上に落下し該変動部材を上下動させ、球誘導斜面１４から落下することでは直下の始動入賞口２に入賞し易い状態となる。また、端の方の変動部材から落ちた遊技球がそのまま前方に落下すると始動入賞口２に入賞できない状態となる。
【００１６】
遊技中、変動表示装置１に遊技状況に従い種々のコンテンツが表示され、音声出力装置７８にその音声，音響が出力されると同時に、該変動表示装置１の上部両側に位置する一対の球殻体５０が回転し、図５に示したように透光部５８を通して放出された光がサーチライトのように旋回することから、所謂ディスコボール或いはミラーボールのように光による華やかな演出がなされる。また、始動入賞口２に遊技球が入賞すると、該変動表示装置１に１〜９の数字または図柄が３列に変動表示され、その変動が停止してリーチ状態或いは大当たりが発生すると、第１電気駆動源１５が作動し、アーム３０，３１が傾動する。このため、幕板１１内にあった球殻体５０が変動表示装置１の前面に進退動し、透光部５８から放出される光がさらに華やかに遊技者の目に映るようになるので、雰囲気を盛り上げ遊興性を一層増大させる。
【００１７】
なお、第１電気駆動源１５および第２電気駆動源３５を作動させる時期は自由に設定することができ、例えば始動入賞口２に遊技球が入賞することにより図柄が変動開始し、リーチ状態の発生とともに第１電気駆動源１５を駆動させ幕板１１で隠れていたアーム３０，３１および演出部材３６を出現させ、さらにスーパーリーチへの発展があると第２電気駆動源３５を駆動させ該演出部材の球殻体５０を回転させるようにしてもよい。そうすることで遊技者は、先ず第１段階としてディスコボールの出現を期待し、第２段階としてそのディスコボールが回転することを期待するようになるので、大当たり発生への期待感が段階的に高められ、興趣が増大する。
【００１８】
このように本発明に係る遊技機の可動演出装置は、アーム３０，３１を可動させる第１電気駆動源１５と、該アームの先端部に設けられ演出部材３６を可動させる第２電気駆動源３５を備えているので、変動表示装置１の表示と連動させ華やかでインパクトのある演出をすることができ、遊技機の興趣が高められる。
【００１９】
なお、本発明は、実施形態として示したような光の演出に限らず、他の形態のアーム、或いは演出部材を設けることもできる。例えば、外観上蟹の足のように形成されたアームを第１電気駆動源により作動させる共に、該アームに設けた第２電気駆動源によりそのアーム先端部の蟹のハサミのように形成されたものを開閉動させたり、或いは、第１電気駆動源によりゴリラの両腕のようなアームが動くようにし、該アームに設けた第２電気駆動源によりその腕先の手指を開閉させるように構成するなど、その遊技機が表現するテーマに沿った種々の設定をすることにより、夫々インパクトのある演出をすることが可能になる。
【００２０】
また、本発明ではアーム上に第２電気駆動源を設けたことから、重量のある演出部材でも該第２電気駆動源により格別大きな駆動力を必要とすることなく容易に作動させることができ、微細な演出も可能となる。
また、第１電気駆動源および第２電気駆動源としては、この実施形態に示したモータの他、ソレノイド等の電動アクチュエータを使用することができる。
【産業上の利用可能性】
【００２１】
本発明は、実施形態に示したパチンコ遊技機に限らず、アレンジボール機、雀球遊技機、スロットマシン等、種々の遊技機に適用することができる。
【図面の簡単な説明】
【００２２】
【図１】本発明の実施形態を示すパチンコ遊技機の遊技盤の正面図。
【図２】本発明の実施形態を示す可動演出装置が設けられた装飾枠体の正面図。
【図３】図２のＡ−Ａ線矢視図。
【図４】本発明の実施形態を示す可動演出装置の斜視図。
【図５】本発明の実施形態を示す可動演出装置の作動状態を示した装飾枠体の正面図。
【図６】本発明の実施形態を示す可動演出装置の演出部材の縦断面図。
【図７】図６のＢ−Ｂ線断面図。
【図８】図６のＣ−Ｃ線断面図。
【図９】図６のＤ−Ｄ線断面図。
【図１０】本発明の実施形態を示す可動演出装置の演出部材の分解斜視図。
【図１１】本発明の実施形態を示すパチンコ遊技機の遊技制御系のブロック図。
【符号の説明】
【００２３】
１                変動表示装置
１５              第１電気駆動源
１６              モータ
１７              小歯車
１８              大歯車
１９              カム体
３０，３１        アーム
３０ａ            レバー部
３０ｂ            ローラ
３２，３３        支軸
３４              ピン
３５              第２電気駆動源
３６              演出部材
４０              モータ
４１              小歯車
４２              環状歯車
５０              球殻体
５１              光源
５２              基軸部
５４              発光体
５０ａ，５０ｂ    半割部材
５５              球状部
５６              大径筒状部
５７              小径筒状部
５８              透光部
【図１】
2007275235.tif 000003
【図２】
2007275235.tif 000004
【図３】
2007275235.tif 000005
【図４】
2007275235.tif 000006
【図５】
2007275235.tif 000007
【図６】
2007275235.tif 000008
【図７】
2007275235.tif 000009
【図８】
2007275235.tif 000010
【図９】
2007275235.tif 000011
【図１０】
2007275235.tif 000012
【図１１】
2007275235.tif 000013